(57)【要約】【課題】接合される浮体ブロックの間の水平方向の間隔が狭い場合でも、浮体ブロックを接合することができる浮体構造物の施工方法を提供する。【解決手段】第１浮体ブロック２Ｂ，２Ｄは、第２浮体ブロック２Ｃと接合される側の側面が斜め上方を向く第１傾斜面４７に形成され、第２浮体ブロック２Ｃは、第１浮体ブロック２Ｂ，２Ｄと接合される側の側面が斜め下方を向く第２傾斜面５７，５８に形成されている。第２浮体ブロック設置工程は、第２浮体ブロック２Ｃを第２傾斜面５７，５８が第１傾斜面４７の上方に位置するように第１浮体ブロック２Ｂ，２Ｄの上方に配置する第２浮体ブロック上方配置工程と、第２浮体ブロック２Ｃを下降させ第１傾斜面４７と第２傾斜面５７，５８とを対向配置させる第２浮体ブロック下降工程と、第１浮体ブロック２Ｂ，２Ｄと第２浮体ブロック２Ｃとを接合する浮体ブロック接合工程と、を有する。【選択図】図６
2020015362.tif 000002
【特許請求の範囲】
【請求項１】
洋上で複数の浮体ブロックを接合して構築する浮体構造物の施工方法において、洋上に設置された第１浮体ブロックの側方に第２浮体ブロックを設置する第２浮体ブロック設置工程を有し、
前記第１浮体ブロックは、前記第２浮体ブロックと接合される側の側面が、斜め上方を向き上側から下側に向かって漸次前記第２浮体ブロックに近接する側に向かって傾斜する第１傾斜面に形成され、
前記第２浮体ブロックは、前記第１浮体ブロックと接合される側の側面が、斜め下方を向き上側から下側に向かって漸次前記第１浮体ブロックと離間する側に向かって傾斜する第２傾斜面に形成され、
前記第２浮体ブロック設置工程は、前記第２浮体ブロックを前記第２傾斜面が前記第１傾斜面の上方に位置するように前記第１浮体ブロックの上方に配置する第２浮体ブロック上方配置工程と、
前記第２浮体ブロックを下降させ前記第１傾斜面と前記第２傾斜面とを対向配置させる第２浮体ブロック下降工程と、
前記第１浮体ブロックと前記第２浮体ブロックとを接合する浮体ブロック接合工程と、を有することを特徴とする浮体構造物の施工方法。
【請求項２】
前記第１傾斜面および前記第２傾斜面のいずれか一方には、凹部が形成され、他方には前記凹部と嵌合する凸部が形成され、
前記浮体ブロック接合工程では、前記凹部と前記凸部とを嵌合させることを特徴とする請求項１に記載の浮体構造物の施工方法。
【発明の詳細な説明】
【技術分野】
【０００１】
本発明は、浮体構造物の施工方法に関する。
【背景技術】
【０００２】
洋上に大型の浮体構造物を施工する際に、浮体構造物をその両サイドに設けられたドルフィンに係留するドルフィン係留が知られている。ドルフィン係留では、ドルフィンが海底に支持された杭などに固定されているため、係留された浮体構造物の横移動を軽減させることができる。
また、このような大型の浮体構造物の施工方法として、複数の浮体ブロックを洋上で接合する方法が知られている（例えば、特許文献１−４参照）。
浮体構造物が、複数の浮体ブロックが接合されて構築され、両サイドに設けられたドルフィンに係留する場合、まず、両端に設けられる浮体ブロックをドルフィンに固定し、固定された浮体ブロックに順次浮体ブロックを接合することがある。
【先行技術文献】
【特許文献】
【０００３】
【特許文献１】特開２００２−０１９６９２号公報
【特許文献２】特開２０００−０２５６８６号公報
【特許文献３】特開平７−３２３８８４号公報
【特許文献４】特開平６−０９２２８８号公報
【発明の概要】
【発明が解決しようとする課題】
【０００４】
しかしながら、ドルフィンに固定された浮体ブロックは、横移動（水平移動）できる範囲が小さいため、最後に接合される浮体ブロックを接合する際には、この最後に接合される浮体ブロックと既に設置された浮体ブロックとの水平方向の間隔が狭く、接合作業のためのスペースを確保することが難しく施工が困難になる。
【０００５】
そこで、本発明では、接合される浮体ブロックの間の水平方向の間隔が狭い場合でも、浮体ブロックを接合することができる浮体構造物の施工方法を提供することを目的とする。
【課題を解決するための手段】
【０００６】
上記目的を達成するため、本発明に係る浮体構造物の施工方法は、洋上で複数の浮体ブロックを接合して構築する浮体構造物の施工方法において、洋上に設置された第１浮体ブロックの側方に第２浮体ブロックを設置する第２浮体ブロック設置工程を有し、前記第１浮体ブロックは、前記第２浮体ブロックと接合される側の側面が、斜め上方を向き上側から下側に向かって漸次前記第２浮体ブロックに近接する側に向かって傾斜する第１傾斜面に形成され、前記第２浮体ブロックは、前記第１浮体ブロックと接合される側の側面が、斜め下方を向き上側から下側に向かって漸次前記第１浮体ブロックと離間する側に向かって傾斜する第２傾斜面に形成され、前記第２浮体ブロック設置工程は、前記第２浮体ブロックを前記第２傾斜面が前記第１傾斜面の上方に位置するように前記第１浮体ブロックの上方に配置する第２浮体ブロック上方配置工程と、前記第２浮体ブロックを下降させ前記第１傾斜面と前記第２傾斜面とを対向配置させる第２浮体ブロック下降工程と、前記第１浮体ブロックと前記第２浮体ブロックとを接合する浮体ブロック接合工程と、を有することを特徴とする。
【０００７】
本発明では、第１浮体ブロックの第２浮体ブロックと接合される側の側面が、斜め上方を向き上側から下側に向かって漸次第２浮体ブロックと離間する側から近接する側に向かって傾斜する第１傾斜面に形成され、第２浮体ブロックの第１浮体ブロックと接合される側の側面が、斜め下方を向き上側から下側に向かって漸次第１浮体ブロックと近接する側から離間する側に向かって傾斜し第２傾斜面に形成されている。
これにより、第１傾斜面と第２傾斜面とは水平方向に対して斜めとなる方向に対向するため、第１浮体ブロックと第２浮体ブロックとの水平方向の間隔が狭い場合でも、第２浮体ブロックを第１浮体ブロックの上方に配置すれば第１傾斜面と第２傾斜面との間に間隔を設けることができる。そして、この第１傾斜面と第２傾斜面との間隔を、第１浮体ブロックと第２浮体ブロックとを接合するためのスペースとすることができる。
その結果、接合される第１浮体ブロックと第２浮体ブロックとの間の水平方向の間隔が狭い場合でも、第１浮体ブロックと第２浮体ブロックとを接合することができる。
【０００８】
また、本発明に係る浮体構造物の施工方法では、前記第１傾斜面および前記第２傾斜面のいずれか一方には、凹部が形成され、他方には前記凹部と嵌合する凸部が形成され、前記浮体ブロック接合工程では、前記凹部と前記凸部とを嵌合させてもよい。
このような構成とすることにより、凹部と凸部とを嵌合させるようにすることで、第１浮体ブロックに対する第２浮体ブロックの位置決めを容易に行うことができる。
【発明の効果】
【０００９】
本発明によれば、接合される第１浮体ブロックと第２浮体ブロックとの間の水平方向の間隔が狭い場合でも、第１浮体ブロックと第２浮体ブロックとを接合することができる。
【図面の簡単な説明】
【００１０】
【図１】本発明の実施形態による浮体構造物の一例を示す平面図である。
【図２】本発明の実施形態による浮体構造物の一例を示す第２水平方向から見た側面図である。
【図３】第２浮体ブロック上方配置工程、第１浮体ブロックおよび第２浮体ブロックを説明する図で図１のＡ−Ａ線断面に対応する図ある。
【図４】第１浮体ブロックの第２側壁部を第２浮体ブロック側から見た側面図である。
【図５】第２浮体ブロック下降工程を説明する図である。
【図６】図５に続く第２浮体ブロック下降工程を説明する図である。
【図７】浮体ブロック接合工程を説明する図である。
【図８】図７に続く浮体ブロック接合工程を説明する図である。
【図９】図８に続く浮体ブロック接合工程を説明する図である。
【図１０】本実施形態の変形例による第１浮体ブロックおよび第２浮体ブロックを説明する図である。
【発明を実施するための形態】
【００１１】
以下、本発明の実施形態による浮体構造物の施工方法について、図１乃至図９に基づいて説明する。
図１および図２に示すように、本実施形態による浮体構造物１は、複数のコンクリート製の浮体ブロック２が接合されることで構築され、ドルフィン係留によって洋上１１に係留されている。
本実施形態では、複数の浮体ブロック２は、水平方向に直線状に配列されている。以下では、複数の浮体ブロック２が配列されている水平方向を第１水平方向（図中の矢印Ｘの方向）とし、第１水平方向に直交する水平方向を第２水平方向（図中の矢印Ｙの方向）とする。
【００１２】
本実施形態では、第１水平方向に間隔をあけて設けられた２つのドルフィン３１，３２の間に浮体構造物１が設けられ、２つのドルフィン３１，３２それぞれに浮体構造物１が固定されている。２つのドルフィン３１，３２は、それぞれ海底に支持された杭体３３（図２参照）に固定されている。
本実施形態の浮体構造物１は、５つの浮体ブロック２が第１水平方向に配列され、第１水平方向に隣り合う浮体ブロック２どうしが互いの側面を対向させて接合されている。
５つの浮体ブロック２を第１水平方向の一方側から他方側に向かって浮体ブロック２Ａ−２Ｅとする。以下では、第１水平方向の一方側から２つ目の浮体ブロック２Ｂおよび４つ目の浮体ブロック２Ｄを第１浮体ブロック２Ｂ，２Ｄとし、配列の中央となる第１水平方向の一方側から３つ目の浮体ブロック２Ｃを第２浮体ブロック２Ｃとし、配列の両端となる第１水平方向の一方側から１つ目の浮体ブロック２Ａおよび５つ目の浮体ブロック２Ｅを第３浮体ブロック２Ａ，２Ｅとする。
【００１３】
２つの第３浮体ブロック２Ａ，２Ｅは、それぞれドルフィン３１，３２に固定されている。第１水平方向一方側の第３浮体ブロック２Ａが第１水平方向の一方側のドルフィン３１に固定され、第１水平方向の他方側の第３浮体ブロック２Ｅが第１水平方向の他方側のドルフィン３２に固定されている。
第３浮体ブロック２Ａ，２Ｅは、直方体状の外形に形成されている。第３浮体ブロック２Ａ，２Ｅは、上面および下面が水平面となり、４つの側面が第１水平方向または第２水平方向を向く鉛直面となる向きに設置されている。
【００１４】
第３浮体ブロック２Ａ，２Ｅは、内部にバラスト水を収容可能なバラスト水収容部２３が形成されている。第３浮体ブロック２Ａ，２Ｅには、外部の水をバラスト水収容部２３に注水するための注水口、およびバラスト水収容部２３の水を外部に排水するための排水口が設けられている。注水口は、第３浮体ブロック２Ａ，２Ｅの側面に設けられ、注水口には、注水バルブが設けられている。第３浮体ブロック２Ａ，２Ｅは、注水バルブを開くことでバラスト水収容部２３に注水されるように構成されている。
【００１５】
図１−図３に示すように、第１浮体ブロック２Ｂ，２Ｄは、第２水平方向から見た形状が台形となる台形柱状の外形に形成されている。図３では、第１浮体ブロック２Ｂ，２Ｄと第２浮体ブロック２Ｃとが接合される前の離間した状態を示している。
第１浮体ブロック２Ｂ，２Ｄは、内部にバラスト水を収容可能なバラスト水収容部２１が形成されている。外部の水をバラスト水収容部２１に注水するための注水口、およびバラスト水収容部２１の水を外部に排水するための排水口が設けられている。注水口は、第１浮体ブロック２Ｂ，２Ｄの側面に設けられ、注水口には、注水バルブが設けられている。第１浮体ブロック２Ｂ，２Ｄは、注水バルブを開くことでバラスト水収容部２１に注水されるように構成されている。
【００１６】
図３に示すように、第１浮体ブロック２Ｂ，２Ｄは、バラスト水収容部２１の上側に配置される上板部４１と、バラスト水収容部２１の下側に配置される下板部４２と、バラスト水収容部２１の第３浮体ブロック２Ａ，２Ｅ側に配置される第１側板部４３（図２参照）と、バラスト水収容部２１の第２浮体ブロック２Ｃ側に配置される第２側板部４４と、バラスト水収容部２１の第２水平方向の一方側に配置される第３側板部４５と、バラスト水収容部２１の第２水平方向の他方側に配置される第４側板部４６と、を有している。上板部４１、下板部４２、第１−４側板部４３−４６は、それぞれ平板状に形成されている。
【００１７】
図２に示すように、上板部４１は、板面が水平面となるように配置されている。
下板部４２は、上板部４１の下方に板面が水平面となるように配置されている。下板部４２は、上板部４１よりも第１水平方向に長く形成されている。下板部４２の第３浮体ブロック２Ａ，２Ｅ側の縁部は、上板部４１の第３浮体ブロック２Ａ，２Ｅ側の縁部の鉛直方向下側に配置され、下板部４２の第２浮体ブロック２Ｃ側の縁部４２ａは、上板部４１の第３浮体ブロック２Ａ，２Ｅ側の縁部４１ａよりも第２浮体ブロック２Ｃ側に配置されている。
第１側板部４３は、上縁部が上板部４１の第３浮体ブロック２Ａ，２Ｅ側の縁部と接続され、下縁部が下板部４２の第３浮体ブロック２Ａ，２Ｅ側の縁部と接続されている。第１側板部４３は、板面が第１水平方向を向く鉛直面となる向きに配置されている。
【００１８】
図３に示すように、第２側板部４４は、上縁部４４ａが上板部４１の第２浮体ブロック２Ｃ側の縁部４１ａと接続され、下縁部４４ｂが下板部４２の第２浮体ブロック２Ｃ側の縁部４２ａと接続されている。第２側板部４４は、板面が鉛直面とならず、上側から下側に向かって漸次第２浮体ブロック２Ｃに近接する側に向かって傾斜する向きに配置されている。第２側板部４４における第２浮体ブロック２Ｃ側の面を第１傾斜面４７とすると、第１傾斜面４７は、上側から下側に向かって漸次第２浮体ブロック２Ｃに近接する側に向かって傾斜し、斜め上方を向く面となっている。
図３および図４に示すように、第２側板部４４には、第１傾斜面４７に第１傾斜面４７の下縁部および第２水平方向の両縁部に沿って延びる止水用のゴムガスケット４８が設けられている。ゴムガスケット４８は、第１水平方向から見て上方に開口するＵ字形となるように設けられている。
【００１９】
図２および図３に示すように、第３側板部４５は、上縁部が上板部４１の第２水平方向の一方側の縁部と接続され、下縁部が下板部４２の第２水平方向の一方側の縁部と接続され、第３浮体ブロック２Ａ，２Ｅ側の縁部が第１側板部４３の第２水平方向の一方側の縁部と接続され、第２浮体ブロック２Ｃ側の縁部が第２側板部４４の第２水平方向の一方側の縁部と接続されている。第３側板部４５は、板面が第２水平方向を向く鉛直面となる向きに配置されている。
第４側板部４６は、上縁部が上板部４１の第２水平方向の他方側の縁部と接続され、下縁部が下板部４２の第２水平方向の他方側の縁部と接続され、第３浮体ブロック２Ａ，２Ｅ側の縁部が第１側板部４３の第２水平方向の他方側の縁部と接続され、第２浮体ブロック２Ｃ側の縁部が第２側板部４４の第２水平方向の他方側の縁部と接続されている。第４側板部４６は、板面が第２水平方向を向く鉛直面となる向きに配置されている。
【００２０】
図３に示すように、第２浮体ブロック２Ｃは、第２水平方向から見た形状が台形となる台形柱状の外形に形成されている。
第２浮体ブロック２Ｃは、内部にバラスト水を収容可能なバラスト水収容部２２が形成されている。外部の水をバラスト水収容部２２に注水するための注水口、およびバラスト水収容部２２の水を外部に排水するための排水口が設けられている。注水口は、第２浮体ブロック２Ｃの側面に設けられ、注水口には、注水バルブが設けられている。
【００２１】
第２浮体ブロック２Ｃは、バラスト水収容部２２の上側に配置される上板部５１と、バラスト水収容部２２の下側に配置される下板部５２と、バラスト水収容部２２の第１水平方向の一方側に配置される第１側板部５３と、バラスト水収容部２２の第１水平方向の他方側に配置される第２側板部５４と、バラスト水収容部２２の第２水平方向の一方側に配置される第３側板部５５と、バラスト水収容部２２の第２水平方向の他方側に配置される第４側板部５６と、を有している。上板部５１、下板部５２、第１−４側板部５３−５６は、それぞれ平板状に形成されている。
【００２２】
上板部５１は、板面が水平面となるように配置されている。
下板部５２は、上板部５１の下方に板面が水平面となるように配置されている。下板部５２は、上板部５１よりも第１水平方向に短く形成されている。下板部５２の第１水平方向の一方側の縁部５２ａは、上板部５１の第１水平方向の一方側の縁部５１ａよりも第１方向の他方側に配置され、下板部５２の第１水平方向の他方側の縁部５２ｂは、上板部５１の第１水平方向の他方側の縁部５１ｂよりも第１方向の一方側に配置されている。
【００２３】
第１側板部５３は、上縁部が上板部５１の第１水平方向の一方側の縁部と接続され、下縁部が下板部５２の第１水平方向の一方側の縁部と接続されている。第１側板部５３は、板面が鉛直面とならず、上側から下側に向かって第１水平方向の他方側に向かって傾斜する向きに配置されている。第１側板部５３の第１水平方向の一方側の面は、上側から下側に向かって漸次第１水平方向の他方側に向かって傾斜し、斜め下方を向いている。
第１側板部５３の第１水平方向の一方側の面を第２傾斜面５７とする。
【００２４】
第２側板部５４は、上縁部が上板部５１の第１水平方向の他方側の縁部と接続され、下縁部が下板部５２の第１水平方向の他方側の縁部と接続されている。第２側板部５４は、板面が鉛直面とならず、上側から下側に向かって第１水平方向の一方側に向かって傾斜する向きに配置されている。第２側板部５４の第１水平方向の他方側の面は、上側から下側に向かって漸次第１水平方向の一方側に向かって傾斜し、斜め下方を向いている。
第２側板部５４の第１水平方向の他方側の面をそれぞれ第２傾斜面５８とする。
【００２５】
第３側板部５５は、上縁部が上板部５１の第２水平方向の一方側の縁部と接続され、下縁部が下板部５２の第２水平方向の一方側の縁部と接続され、第１水平方向の一方側の縁部が第１側板部５３の第２水平方向の一方側の縁部と接続され、第１水平方向の他方側の縁部が第２側板部４４の第２水平方向の一方側の縁部と接続されている。第３側板部５５は、板面が第２水平方向を向く鉛直面となる向きに配置されている。
第４側板部５６は、上縁部が上板部５１の第２水平方向の他方側の縁部と接続され、下縁部が下板部５２の第２水平方向の他方側の縁部と接続され、第１水平方向の一方側の縁部が第１側板部５３の第２水平方向の他方側の縁部と接続され、第１水平方向の他方側の縁部が第２側板部５４の第２水平方向の他方側の縁部と接続されている。第４側板部５６は、板面が第２水平方向を向く鉛直面となる向きに配置されている。
【００２６】
本実施形態では、第１水平方向に隣り合う第１浮体ブロック２Ｂ，２Ｄと第３浮体ブロック２Ａ，２Ｅとは、ＰＣ鋼材で接合され、ＰＣ鋼材にプレストレスが導入されている。また、第１水平方向に隣り合う第１浮体ブロック２Ｂ，２Ｄと第２浮体ブロック２Ｃとは、ＰＣ鋼材６（図９参照）で接合され、ＰＣ鋼材６にプレストレスが導入されている。
【００２７】
次に、本実施形態による浮体構造物１の施工方法について説明する。
まず、第３浮体ブロック２Ａ，２Ｅを設置する第３浮体ブロック設置工程を行う。
第３浮体ブロック設置工程では、ドルフィン３１，３２を設置し、予め製作された第３浮体ブロック２Ａ，２Ｅを設置海域まで運搬し、それぞれドルフィン３１，３２に固定する。第３浮体ブロック２Ａ，２Ｅのドルフィン３１，３２への固定は、公知の方法で行う。
【００２８】
続いて、第１浮体ブロック２Ｂ，２Ｄを設置する第１浮体ブロック設置工程を行う。
第１浮体ブロック設置工程では、予め製作された第１浮体ブロック２Ｂ，２Ｄを設置海域まで運搬し、第３浮体ブロック２Ａ，２Ｅに固定する。第１浮体ブロック２Ｂ，２Ｄと第３浮体ブロック２Ａ，２Ｅとの接合は、公知の方法で行う。
第１浮体ブロック２Ｂ，２Ｄと第３浮体ブロック２Ａ，２Ｅとの接合作業では、２つの第１浮体ブロック２Ｂ，２Ｄの間の第２浮体ブロック２Ｃが設置されるスペースを作業スペースとして使用することができる。
２つの第１浮体ブロック２Ｂ，２Ｄは、それぞれ第３浮体ブロック２Ａ，２Ｅに接合されると、第１水平方向に離間した状態となる。
【００２９】
続いて、２つの第１浮体ブロック２Ｂ，２Ｄの間の下側にガイド部材７１（図３参照）を設置するガイド部材設置工程を行う。
図３に示すように、ガイド部材７１は、第１水平方向に延びる部材で、第１水平方向の一方の端部７１ａが第１水平方向の一方側に配置された第１浮体ブロック２Ｂの下面に固定され、第１水平方向の他方の端部７１ｂが第１水平方向の他方側に配置された第１浮体ブロック２Ｄの下面に固定されている。ガイド部材７１の上面７１ｃは、水平面となり第１浮体ブロック２Ｂ，２Ｄの下面と同じ高さに配置されている。
ガイド部材７１は、第１浮体ブロック２Ｂ，２Ｄを一体化させ、両者の離隔を保持することを目的としている。また、その上面に第２浮体ブロック２Ｃの下面５２ｃが当接することで、第１浮体ブロック２Ｂ，２Ｄに対する第２浮体ブロック２Ｃの位置決めをできるように構成されている。
ガイド部材７１は、２つの第１浮体ブロック２Ｂ，２Ｄがそれぞれ第３浮体ブロック２Ａ，２Ｅに固定された後に第１浮体ブロック２Ｂ，２Ｄに設置する。なお、図３では、第２浮体ブロック２Ｃが洋上に浮いている、ガイド部材７１は、第２浮体ブロック２Ｃを第１浮体ブロック２Ｂ，２Ｄの間に引き込む前に第１浮体ブロック２Ｂ，２Ｄに設置する。
【００３０】
続いて、第２浮体ブロック２Ｃを設置する第２浮体ブロック設置工程を行う。
第２浮体ブロック設置工程では、まず、図３に示すように、洋上１１に設置された第１浮体ブロック２Ｂ，２Ｄおよび第３浮体ブロック２Ａ，２Ｅそれぞれの注水バルブを開放して内部のバラスト水収容部２１，２３にバラスト水１２を注入し、第１浮体ブロック２Ｂ，２Ｄおよび第３浮体ブロック２Ａ，２Ｅの喫水を大きくして、第１浮体ブロック２Ｂ，２Ｄおよび第３浮体ブロック２Ａ，２Ｅそれぞれの下部側を所定の深さまで沈めた状態とする。洋上１１に設置された第１浮体ブロック２Ｂ，２Ｄおよび第３浮体ブロック２Ａ，２Ｅは、ドルフィン３１，３２に固定された状態において、所定範囲での上下方向の移動が可能となっている。
【００３１】
続いて、予め製作された第２浮体ブロック２Ｃを設置海域まで運搬して２つの第１浮体ブロック２Ｂ，２Ｄの上方に配置する第２浮体ブロック上方配置工程を行う。
第２浮体ブロック上方配置工程では、まず、第２浮体ブロック２Ｃを第２浮体ブロック２Ｃの設置スペース（２つの第１浮体ブロック２Ｂ，２Ｄの間のスペース）とは離れた場所まで運搬する。このとき、第２浮体ブロック２Ｃのバラスト水収容部２２は空の状態とし、喫水を小さくする。
第２浮体ブロック２Ｃを２つの第１浮体ブロック２Ｂ，２Ｄの間まで曳航し、第２浮体ブロック２Ｃを第１浮体ブロック２Ｂ，２Ｄに設けられたウインチ８１にワイヤー８２（図５参照）で接続する。第２浮体ブロック２Ｃを２つの第１浮体ブロック２Ｂ，２Ｄの間に引き込む際、第２浮体ブロック２Ｃと２つの第１浮体ブロック２Ｂ，２Ｄとの摩擦を低減するため、第１浮体ブロック２Ｂ，２Ｄにガイドローラー７３（図３参照）を設置しておく。
第２浮体ブロック２Ｃは、バラスト水収容部２２が空の状態で第１浮体ブロック２Ｂ，２Ｄおよび第３浮体ブロック２Ａ，２Ｅよりも喫水が小さいため、第１浮体ブロック２Ｂ，２Ｄよりも上方に配置される。
このとき、第２浮体ブロック２Ｃを、その第２傾斜面５７が第１浮体ブロック２Ｂの第１傾斜面４７の上方となり、その第２傾斜面５８が第１浮体ブロック２Ｄの第１傾斜面４７の上方となる位置するように位置調整する。
【００３２】
続いて、第２浮体ブロック２Ｃを第１浮体ブロック２Ｂ，２Ｄと同じ高さとなるように下降させる第２浮体ブロック下降工程を行う。
図５に示すように、第２浮体ブロック下降工程では、第２浮体ブロック２Ｃの注水バルブを開放して内部のバラスト水収容部２２にバラスト水１２を注入し、第２浮体ブロック２Ｃの喫水を大きくして、図６に示すように、第２浮体ブロック２Ｃを第１浮体ブロック２Ｂ，２Ｄと同じ深さまで下降させる。喫水調整に加えてウインチ８１を操作し、第２浮体ブロック２Ｃを正位置に配置する。
このとき、第２浮体ブロック２Ｃの下面５２ｃをガイド部材７１の上面７１ｃと当接させるとともに、第２浮体ブロック２Ｃの第２傾斜面５７，５８を第１浮体ブロック２Ｂ，２Ｄの第１傾斜面４７のゴムガスケット４８に当接させる。
このようにして、第２浮体ブロック２Ｃが２つの第１浮体ブロック２Ｂ，２Ｄの間に配置される。
正位置に配置された第２浮体ブロック２Ｃは、例えば、第１浮体ブロック２Ｂ，２Ｄに設けた油圧アーム７２（図７参照）などで仮固定する。
【００３３】
続いて、第１浮体ブロック２Ｂと第２浮体ブロック２Ｃとを接合し、第１浮体ブロック２Ｄと第２浮体ブロック２Ｃとを接合する浮体ブロック接合工程を行う。
図７に示すように、浮体ブロック接合工程では、まず、第１浮体ブロック２Ｂと第２浮体ブロック２Ｃとの間、第１浮体ブロック２Ｄと第２浮体ブロック２Ｃおよびの海水１３をポンプアップして排水する。図７−図１０では、第１浮体ブロック２Ｂと第２浮体ブロック２Ｃとの接合を示している。第１浮体ブロック２Ｄと第２浮体ブロック２Ｃとは、第１浮体ブロック２Ｂと第２浮体ブロック２Ｃと同様に接合される。
【００３４】
本実施形態では、ゴムガスケット４８（図４参照、図７では省略）が上方に開口するＵ字形状に設けられているため、ゴムガスケット４８の内側の海水１３を排水する。
これにより、第１浮体ブロック２Ｂ，２Ｄおよび第２浮体ブロック２Ｃに外側から作用する水圧によって第１浮体ブロック２Ｂ，２Ｄと第２浮体ブロック２Ｃとが近接し、ゴムガスケット４８が第２浮体ブロック２Ｃの第２傾斜面５７，５８と第１浮体ブロック２Ｂ，２Ｄの第１傾斜面４７とに挟まれてつぶれた状態となり、第１浮体ブロック２Ｂ，２Ｄと第２浮体ブロック２Ｃとが水圧接合する。
【００３５】
第１浮体ブロック２Ｂ，２Ｄと第２浮体ブロック２Ｃとが水圧接合されたら、第１浮体ブロック２Ｂ，２Ｄ、第２浮体ブロック２Ｃおよび第３浮体ブロック２Ａ，２Ｅのバラスト水１２（図６参照）を排水する。
続いて、図８に示すように、第１浮体ブロック２Ｂの第２側板部４４と、第２浮体ブロック２Ｃの第１側板部５３とを接合するとともに、第１浮体ブロック２Ｄの第２側板部４４（図３参照）と、第２浮体ブロック２Ｃの第２側板部５４（図３参照）とを接合する。
第１浮体ブロック２Ｂの第２側板部４４、および第２浮体ブロック２Ｃの第１側板部５３にＰＣ鋼材６（図９参照）を挿通させるＰＣシース６１を設けるとともに、第１浮体ブロック２Ｄの第２側板部４４、および第２浮体ブロック２Ｃの第２側板部５４にＰＣ鋼材６を挿通させるＰＣシース（不図示）を設ける。
第１浮体ブロック２Ｂ，２Ｄと第２浮体ブロック２Ｃとの間にグラウト材６２を充填し、所定期間の養生を行う。
続いて、図９に示すように、ＰＣシース６１にＰＣ鋼材６を挿入し、プレストレスを導入する。
ＰＣシース６１にグラウト材６３を充填する。
このようにして第１浮体ブロック２Ｂ，２Ｄと第２浮体ブロック２Ｃとが接合され、浮体構造物１が構築される。
【００３６】
次に、上述した実施形態による浮体構造物１の施工方法の作用・効果について図面を用いて説明する。
本実施形態による浮体構造物１の施工方法では、第１浮体ブロック２Ｂ，２Ｄの第２浮体ブロック２Ｃと接合される側の側面が、斜め上方を向き、上側から下側に向かって漸次第２浮体ブロック２Ｃと離間する側から近接する側に向かって傾斜する第１傾斜面４７に形成され、第２浮体ブロック２Ｃの第１浮体ブロック２Ｂ，２Ｄと接合される側の側面が、斜め下方を向き、上側から下側に向かって漸次第１浮体ブロック２Ｂ，２Ｄと近接する側から離間する側に向かって傾斜する第２傾斜面５７に形成されている。
これにより、第１傾斜面４７と第２傾斜面５７とは水平方向に対して斜めとなる方向に対向するため、第１浮体ブロック２Ｂ，２Ｄと第２浮体ブロック２Ｃとの水平方向の間隔が狭い場合でも、第２浮体ブロック２Ｃを第１浮体ブロック２Ｂ，２Ｄの上方に配置すれば第１傾斜面４７と第２傾斜面５７との間に間隔を設けることができる。そして、この第１傾斜面４７と第２傾斜面５７との間隔を、第１浮体ブロック２Ｂ，２Ｄと第２浮体ブロック２Ｃとを接合するためのスペースとすることができる。
その結果、接合される第１浮体ブロック２Ｂ，２Ｄと第２浮体ブロック２Ｃとの間の水平方向の間隔が狭い場合でも、第１浮体ブロック２Ｂ，２Ｄと第２浮体ブロック２Ｃとを接合することができる。
【００３７】
以上、本発明による浮体構造物の施工方法の実施形態について説明したが、本発明は上記の実施形態に限定されるものではなく、その趣旨を逸脱しない範囲で適宜変更可能である。
例えば、上記の実施形態では、浮体ブロック２は、第１水平方向に配列されているが、第１水平方向および第２水平方向の両方に配列されていてもよい。また、浮体ブロック２は、第１浮体ブロック２Ｂ，２Ｄに第１傾斜面４７が形成され、第２浮体ブロック２Ｃに第２傾斜面５７が形成されていれば、上記以外の形状であってもよい。
【００３８】
また、上記の実施形態では、第２浮体ブロック２Ｃの第１水平方向の両側それぞれに第２傾斜面５７，５８が形成され、第２浮体ブロック２Ｃの両側に接合される第１浮体ブロック２Ｂ，２Ｄのそれぞれに第１傾斜面４７が形成され、第１傾斜面４７と第２傾斜面５７，５８とを対向配置させている。これに対し、第２浮体ブロックには、第１水平方向の両側のいずれか一方側のみに第２傾斜面が形成され、第２浮体ブロックの第２傾斜面が形成された側に接続される第１浮体ブロックのみに第１傾斜面が形成され、第１傾斜面と第２傾斜面とを対向配置させるようにしてもよい。
【００３９】
また、図１０に示す浮体構造物１Ｂのように、第１傾斜面４７Ｂおよび第２傾斜面５７Ｂのいずれか一方（図１０では第２傾斜面５７Ｂ）には、凹部９１が形成され、他方（図１０では第１傾斜面４７Ｂ）には凹部９１と嵌合する凸部９２が形成され、浮体ブロック接合工程では、凹部９１と凸部９２とを嵌合させるようにしてもよい。このようにすることにより、凹部９１と凸部９２とを嵌合させるようにすることで、第１浮体ブロック２Ｂに対する第２浮体ブロック２Ｃの位置決めを容易に行うことができる。
【符号の説明】
【００４０】
１，１Ｂ  浮体構造物
２Ａ，２Ｅ  第３浮体ブロック
２Ｂ，２Ｄ  第１浮体ブロック
２Ｃ  第２浮体ブロック
１１  洋上
３１，３２  ドルフィン
４７，４７Ｂ  第１傾斜面
５７，５８，５７Ｂ  第２傾斜面
９１  凹部
９２  凸部
【図１】
2020015362.tif 000003
【図２】
2020015362.tif 000004
【図３】
2020015362.tif 000005
【図４】
2020015362.tif 000006
【図５】
2020015362.tif 000007
【図６】
2020015362.tif 000008
【図７】
2020015362.tif 000009
【図８】
2020015362.tif 000010
【図９】
2020015362.tif 000011
【図１０】
2020015362.tif 000012